(57)【要約】【課題】着用者が、呼吸や会話を快適に行うことができるマスク用セパレータ及びマスクを提供する。【解決手段】マスク１は、着用者Ｈの口と鼻との間に配置されて口呼吸領域１４と鼻呼吸領域１５とを隔てる第一分離帯部５と、第一分離帯部５に連結されて垂下すると共に口の前面を覆う第二分離帯部６とを有するマスク用セパレータ４が備えられている。【選択図】図２
0003230429.tif 000002
【実用新案登録請求の範囲】
【請求項１】
着用者の口及び鼻を覆うマスクの内面であって、前記口と前記鼻との間に対向する位置に配置されて前記口で呼吸する領域と前記鼻で呼吸する領域とを隔てる第一分離帯部を有し、
前記第一分離帯部が、前記着用者に着用された状態の前記マスクの内面に沿って湾曲した形状である、
ことを特徴とするマスク用セパレータ。
【請求項２】
前記マスクと前記口との間を隔てるシート状の第二分離帯部を有する、
ことを特徴とする請求項１に記載されたマスク用セパレータ。
【請求項３】
前記第一分離帯部が、
シート状であると共に前記マスクの横幅方向に長手であって、
前記マスクの内面に沿って湾曲した着脱部と、
前記着脱部に対して前記マスクと反対側に向けて前記着脱部から張り出した遮蔽部と、を有し、
前記遮蔽部が、当該第一分離帯部の中央から横幅方向に向かうにしたがって狭く形成され、
前記第二分離帯部が、
前記着脱部に沿って前記着脱部と連結された連結部と、
前記連結部から垂下した本体部と、を有し、
前記本体部に孔が形成された、
ことを特徴とする請求項２に記載されたマスク用セパレータ。
【請求項４】
請求項１から請求項３のいずれか１項に記載されたマスク用セパレータを有する、
ことを特徴とするマスク。
【考案の詳細な説明】
【技術分野】
【０００１】
本考案は、口及び鼻を覆うマスクに用いられるマスク用セパレータ、及び、このマスク用セパレータを有するマスクに関するものである。
【背景技術】
【０００２】
従来、例えば、花粉、埃、ウィルス等（以下、「飛沫物」と記す。）のアレルギー症や感染症を予防するために、口や鼻を覆うマスクがある。マスクを着用者した着用者が、呼吸や会話をする場合、鼻から吸気をし、口で呼気をするのが適している。
【考案の概要】
【考案が解決しようとする課題】
【０００３】
ところで、呼気による排気は、湿気を含んでいるため、マスクの内側は、排気によって温度が高くなる。マスクの内側では、着用者による排気と吸気とが混在しているため、口からの呼気による高温の排気を、鼻から吸気することとなり、着用者が息苦しさを感じる場合がある。
【０００４】
本考案は、この様な実情に鑑みて提案されたものである。すなわち、マスクを装着した状態でも、着用者が、呼吸や会話を快適に行うことができるマスク用セパレータ及びマスクの提供を目的とする。
【課題を解決するための手段】
【０００５】
上記目的を達成するために、本考案に係るマスク用セパレータは、着用者の口及び鼻を覆うマスクの内面であって、前記口と前記鼻との間に対向する位置に配置されて前記口で呼吸する領域と前記鼻で呼吸する領域とを隔てる第一分離帯部を有し、前記第一分離帯部が、前記着用者に着用された状態の前記マスクの内面に沿って湾曲した形状である、ことを特徴とする。
【０００６】
本考案に係るマスク用セパレータは、前記マスクと前記口との間を隔てるシート状の第二分離帯部を有する、ことを特徴とする。
【０００７】
本考案に係るマスク用セパレータは、前記第一分離帯部が、シート状であると共に前記マスクの横幅方向に長手であって、前記マスクの内面に沿って湾曲した着脱部と、前記着脱部に対して前記マスクと反対側に向けて前記着脱部から張り出した遮蔽部と、を有し、前記遮蔽部が、当該第一分離帯部の中央から横幅方向に向かうにしたがって狭く形成され、前記第二分離帯部が、前記着脱部に沿って前記着脱部と連結された連結部と、前記連結部から垂下した本体部と、を有し、前記本体部に孔が形成された、ことを特徴とする。
【０００８】
本考案に係るマスクは、上記したマスク用セパレータを有する、ことを特徴とする。
【考案の効果】
【０００９】
本考案に係るマスク用セパレータは、着用者の口及び鼻を覆うマスクの内面であって、口と鼻との間に対向する位置に配置されて口で呼吸する領域と鼻で呼吸する領域とを隔てる第一分離帯部を有し、第一分離帯部が、着用者に着用された状態のマスクの内面に沿って湾曲した形状である。この構成により、マスクの内側では、鼻で呼吸する領域と口で呼吸する領域とが区別されるため、着用者が、口からの呼気による高温の排気を、鼻から吸気することにはならない。したがって、マスクを装着した状態でも、着用者が、呼吸や会話を快適に行うことができる。また、呼気による湿気を含んだ排気が、第一分離帯部によって、鼻よりも下で遮られ、鼻から上に向けて抜けないため、仮に、着用者が眼鏡を装着していた場合であっても、眼鏡が排気によって曇ることが抑止される。マスク用セパレータは、マスク本来の機能を損なわせることがないため、飛沫物のアレルギー症や感染症を予防することもできる。
【００１０】
本考案に係るマスク用セパレータは、マスクと口との間を隔てるシート状の第二分離帯部を有している。この構成により、口からの呼気による排気が、第一分離帯部と第二分離帯部とで閉塞され、鼻で呼吸する領域に流入することが遮られる。したがって、マスクを装着した状態でも、着用者が、呼吸や会話を快適に行うことができる。
【００１１】
本考案に係るマスク用セパレータは、第一分離帯部が、シート状であると共にマスクの横幅方向に長手であって、マスクの内面に沿って湾曲した着脱部と、この着脱部に対してマスクと反対側に向けて着脱部から張り出した遮蔽部とを有し、遮蔽部が、当該第一分離帯部の中央から横幅方向に向かうにしたがって狭く形成され、第二分離帯部が、着脱部に沿って着脱部と連結された連結部と、連結部から垂下した本体部とを有し、本体部に孔が形成されている。すなわち、第一分離帯部の着脱部がマスクに取り付けられることで、遮蔽部が口と鼻との間に配置され、鼻で呼吸する領域と口で呼吸する領域とが区別され、また、第二分離帯部の連結部が着脱部と連結されたことによって、着脱部を介して本体部が口とマスクとの間に配置され、口で呼吸する領域が区画される。したがって、マスクを装着した状態でも、着用者が、呼吸や会話を快適に行うことができる。
【００１２】
本考案に係るマスクは、上記したマスク用セパレータを有している。したがって、本考案は、上記したマスク用セパレータと同一の効果を奏する。
【図面の簡単な説明】
【００１３】
【図１】図１は、本考案の実施形態に係るマスクが内側から示された内面図である。
【図２】図２は、本考案の実施形態に係るマスクの着用状態が示された概略側面透し図である。
【図３】図３は、本考案の実施形態に係るマスク用セパレータが内側から示された内面図である。
【図４】図４は、本考案の実施形態に係るマスク用セパレータが上方から示された上面図である。
【考案を実施するための形態】
【００１４】
以下に、本考案の実施形態に係るマスク用セパレータ及びマスクを図面に基づいて説明する。図１は、本実施形態に係るマスク１の外観が示され、図２は、マスク１の着用状態の概略が示されている。図３及び４は、本実施形態に係るマスク用セパレータ４の外観が示されている。
【００１５】
図１に示されているとおり、マスク１は、立体形状のマスク本体２と、このマスク本体２に着脱されるマスク用セパレータ４とから構成されている。マスク本体２の素材は、例えば、不織布、綿、シルク等である。図１及び２に示されているとおり、マスク本体２は、着用者Ｈの口及び鼻を覆うことができる程度の大きさであり、両端部に、着用者Ｈの耳に引っ掛けられる耳掛部３が形成されている。
【００１６】
マスク用セパレータ４の素材は、金属以外であって、例えば、不織布、和紙、布、ウレタン、フェルト、プラスチック等である。マスク用セパレータ４は、マスク本体２の内面において、着用者Ｈの口と鼻との間に対向する位置に配置される第一分離帯部５と、マスク本体２と着用者Ｈの口との間を隔てる第二分離帯部６とを有している。
【００１７】
図３及び４に示されているとおり、第一分離帯部５は、マスク本体２の横幅方向に長手のシート状であって、湾曲した形状である。すなわち、着用者Ｈに着用されたマスク１は、着用者Ｈの顔面に沿って湾曲することから、湾曲したマスク本体２に応じて、第一分離帯部５も、着用者Ｈに着用された状態のマスク本体２の内面に沿って湾曲した形状である。第一分離帯部５は、マスク本体２の内面に沿って湾曲した着脱部７と、この着脱部７に対してマスク１と反対側である内側に向けて着脱部７から張り出した遮蔽部８と、この遮蔽部８における内側の端部である接触部９とを有している。遮蔽部８において、着脱部７と接触部９との幅は、第一分離帯部５の中央から横幅方向に向かうにしたがって狭く形成されている。
【００１８】
第二分離帯部６は、マスク本体２の横幅方向に長手のシート状であって、湾曲した形状である。第二分離帯部６は、第一分離帯部５の着脱部７に沿ってこの着脱部７と連結された連結部１０と、この連結部１０から垂下すると共に着用者Ｈに着用された状態のマスク本体２の内面に沿って湾曲した本体部１１と、この本体部１１における下端である下端部１２とを有している。本体部１１は、左右一対の孔１３が形成されている。なお、孔１３の大きさ、数、形状、配置は任意である。
【００１９】
図１に示されているとおり、マスク用セパレータ４は、マスク本体２の内面に取り付けられる。すなわち、第一分離帯部５の着脱部７が、マスク本体２の内面に、縫合又は接着されると、第一分離帯部５は、マスク本体２の内面から内側に向けて張り出した状態となる。第二分離帯部６は、マスク本体２の内面に沿って着脱部７から垂れ下がる状態となる。なお、第二分離帯部６の下端部１２は、マスク本体２の下端部１２と縫合又は接着されていてもよいし、されていなくてもよい。
【００２０】
図２に示されているとおり、着用者Ｈに着用されたマスク１は、着用者Ｈの口と鼻とを覆う。第一分離帯部５は、着用者Ｈの口と鼻との間に配置され、当該部分に、第一分離帯部５の接触部９が当てられる。第二分離帯部６は、口とマスク本体２との間に配置され、孔１３が口の近傍に配置される。すなわち、マスク用セパレータ４によって、マスク本体２の内側は、口で呼吸する領域である口呼吸領域１４と鼻で呼吸する領域である鼻呼吸領域１５とに区画される。この状態で着用者Ｈが呼吸をする際、口からの呼気は、口呼吸領域１４で行われ、鼻からの吸気は、鼻呼吸領域１５で行われる。すなわち、口呼吸領域１４における排気と鼻呼吸領域１５における吸気とが別々となる。当然に、口呼吸領域１４における吸気と鼻呼吸領域１５における排気とも別々となる。
【００２１】
次に、本実施形態の効果を説明する。
【００２２】
上記したとおり、本実施形態では、マスク用セパレータ４は、マスク本体２の横幅方向に長手のシート状であって、着用者Ｈに着用された状態のマスク本体２の内面に沿って湾曲した第一分離帯部５と、この第一分離帯部５の着脱部７に連結されて垂下した第二分離帯部６とを有している。このマスク用セパレータ４が、マスク本体２の内面に取り付けられ、着用者Ｈが、マスク１を装着すると、第一分離帯部５が、口と鼻との間に配置され、当該部分に、接触部９が当てられる。第二分離帯部６は、口とマスク本体２との間に配置される。すなわち、口呼吸領域１４と鼻呼吸領域１５とが区画されるため、着用者Ｈが、口からの呼気による高温の排気を、鼻から吸気することにはならない。したがって、マスク１を装着した状態でも、着用者Ｈが、呼吸や会話を快適に行うことができる。また、呼気による湿気を含んだ排気が、第一分離帯部５及び第二分離帯部６によって閉塞されると共に、鼻よりも下で遮られ、鼻から上に向けて抜けないため、仮に、着用者Ｈが眼鏡（図示省略。）を装着していた場合であっても、眼鏡が排気によって曇ることが抑止される。
【００２３】
また、第二分離帯部６の本体部１１に、孔１３が形成されているため、口の呼気による排気が孔１３を通り、口呼吸領域１４の内側において、排気の過度な滞留が抑止される。
【００２４】
なお、本考案の実施形態に用いられるマスク本体は、任意である。したがって、例えば、マスク本体は、ほぼ長方形であり、適宜ギャザーが施され、ギャザーによって上下方向に伸縮する。また、マスク本体は、上端部や中央部に、形状を維持するためのワイヤーが内蔵されていてもよい。耳掛部は、例えば、紐やゴムである。
【００２５】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００２６】
１    マスク
２    マスク本体
３    耳掛部
４    マスク用セパレータ
５    第一分離帯部
６    第二分離帯部
７    着脱部
８    遮蔽部
９    接触部
１０  連結部
１１  本体部
１２  下端部
１３  孔
１４  口呼吸領域
１５  鼻呼吸領域
Ｈ    着用者
【図１】
0003230429.tif 000003
【図２】
0003230429.tif 000004
【図３】
0003230429.tif 000005
【図４】
0003230429.tif 000006